(57)【要約】【課題】  薄型化が可能なバックライト装置及び表示装置を提供する。【解決手段】  表示手段６０は、第一の表示領域６１及び第二の表示領域６２を有する。第一の照明手段２１は、第一の色を有する第一の照明光を発する。第二の照明手段２２は、第二の色を有する第二の照明光を発する。第一の導光手段３１は、第一の照明光を第一の表示領域６１に導いて、第一の表示領域６１を透過照明する。第二の導光手段３２は、第二の照明光を第二の表示領域６２に導いて、第二の表示領域６２を透過照明する。第一の導光手段３１は第一の側端面３１ｂを有し、第二の導光手段３２は第一の側端面３１ｂに対向する第二の側端面３２ｂを有する。第一の側端面３１ｂ及び第二の側端面３２ｂは、第一の照明光及び第二の照明光を全反射させる。【選択図】  図１
2011228107.tif 000002
【特許請求の範囲】
【請求項１】
第一の導光手段と、前記第一の導光手段に第一の照明光を発する第一の照明手段と、第二の導光手段と、前記第二の導光手段に第二の照明光を発する第二の照明手段と、を備え、前記第一の導光手段は第一の側端面を有し、前記第二の導光手段は前記第一の側端面に対向する第二の側端面を有することを特徴とするバックライト装置。
【請求項２】
前記第一の照明手段は、複数の発光素子が列状に配設された第一の発光素子群を有し、前記第二の照明手段は、複数の発光素子が列状に配設された第二の発光素子群を有することを特徴とする請求項１に記載のバックライト装置。
【請求項３】
前記第一の導光手段及び前記第二の導光手段上に拡散部材を配設したことを特徴とする請求項１に記載のバックライト装置。
【請求項４】
前記第一の導光手段及び前記第二の導光手段上に集光部材を配設したことを特徴とする請求項１に記載のバックライト装置。
【請求項５】
前記第一の照明手段及び前記第二の照明手段をケース体内に配置したことを特徴とする請求項１に記載のバックライト装置。
【請求項６】
第一の表示領域及び第二の表示領域を有する表示手段と、第一の色を有する第一の照明光を発することが可能な第一の照明手段と、第二の色を有する第二の照明光を発することが可能な第二の照明手段と、前記第一の照明光を前記第一の表示領域に導いて前記第一の表示領域を透過照明する第一の導光手段と、前記第二の照明光を前記第二の表示領域に導いて前記第二の表示領域を透過照明する第二の導光手段と、を備え、
前記第一の導光手段は第一の側端面を有し、前記第二の導光手段は前記第一の側端面に対向する第二の側端面を有すると共に、前記第一の側端面及び前記第二の側端面は、前記第一の照明光及び前記第二の照明光を全反射させることを特徴とする表示装置。
【請求項７】
前記第一の照明手段は、複数の発光素子が列状に配設された第一の発光素子群を有し、前記第二の照明手段は、複数の発光素子が列状に配設された第二の発光素子群を有することを特徴とする請求項６に記載の表示装置。
【請求項８】
前記第一の導光手段及び前記第二の導光手段上に拡散部材を配設したことを特徴とする請求項６に記載の表示装置。
【請求項９】
前記第一の導光手段及び前記第二の導光手段上に集光部材を配設したことを特徴とする請求項６に記載の表示装置。
【請求項１０】
前記第一の照明手段及び前記第二の照明手段をケース体内に配置したことを特徴とする請求項６に記載の表示装置。
【発明の詳細な説明】
【技術分野】
【０００１】
本発明は、発光ダイオード等の光源にて表示手段を透過照明するバックライト装置及び表示装置に関するものである。
【背景技術】
【０００２】
従来より、液晶表示パネル等の表示手段を備えた表示装置が種々提案されており、例えば特許文献１に開示されている。斯かる表示装置は、複数の表示領域を有する表示手段と、この表示手段を透過照明する光源とを備え、この光源が発する光を導いて表示領域を透過照明させる導光手段を表示領域ごとに備え、隣接する表示領域を照明させる導光手段において、表示手段側に導光手段を配設し、導光手段において表示領域の境界の背後から全表示領域の背後まで延出し、且つ、エッジ発光させる端部を含む角部が全表示領域内の背後で形成されないように設けられている。
【先行技術文献】
【特許文献】
【０００３】
【特許文献１】特開２００８−２６８５４号公報
【発明の概要】
【発明が解決しようとする課題】
【０００４】
しかしながら、導光手段が２枚上下に積み重なった状態で配置されるため、厚さ方向で大型化し、薄型の表示装置には適用できないという問題を有していた。
本発明は、この問題に鑑みなされたものであり、薄型化が可能なバックライト装置及び表示装置を提供するものである。
【課題を解決するための手段】
【０００５】
本発明は、第一の導光手段と、前記第一の導光手段に第一の照明光を発する第一の照明手段と、第二の導光手段と、前記第二の導光手段に第二の照明光を発する第二の照明手段と、を備え、前記第一の導光手段は第一の側端面を有し、前記第二の導光手段は前記第一の側端面に対向する第二の側端面を有するものである。
【０００６】
また、本発明は、前記第一の照明手段は、複数の発光素子が列状に配設された第一の発光素子群を有し、前記第二の照明手段は、複数の発光素子が列状に配設された第二の発光素子群を有するものである。
【０００７】
また、本発明は、前記第一の導光手段及び前記第二の導光手段上に拡散部材を配設したものである。
【０００８】
また、本発明は、前記第一の導光手段及び前記第二の導光手段上に集光部材を配設したものである。
【０００９】
また、本発明は、前記第一の照明手段及び前記第二の照明手段をケース体内に配置したものである。
【００１０】
また、本発明は、第一の表示領域及び第二の表示領域を有する表示手段と、第一の色を有する第一の照明光を発することが可能な第一の照明手段と、第二の色を有する第二の照明光を発することが可能な第二の照明手段と、前記第一の照明光を前記第一の表示領域に導いて前記第一の表示領域を透過照明する第一の導光手段と、前記第二の照明光を前記第二の表示領域に導いて前記第二の表示領域を透過照明する第二の導光手段と、を備え、前記第一の導光手段は第一の側端面を有し、前記第二の導光手段は前記第一の側端面に対向する第二の側端面を有すると共に、前記第一の側端面及び前記第二の側端面は、前記第一の照明光及び前記第二の照明光を全反射させるものである。
【００１１】
また、本発明は、前記第一の照明手段は、複数の発光素子が列状に配設された第一の発光素子群を有し、前記第二の照明手段は、複数の発光素子が列状に配設された第二の発光素子群を有するものである。
【００１２】
また、本発明は、前記第一の導光手段及び前記第二の導光手段上に拡散部材を配設したものである。
【００１３】
また、本発明は、前記第一の導光手段及び前記第二の導光手段上に集光部材を配設したものである。
【００１４】
また、本発明は、前記第一の照明手段及び前記第二の照明手段をケース体内に配置したものである。
【発明の効果】
【００１５】
側端面が対向するように第一の導光手段と第二の導光手段とを並設するため、バックライト装置及び表示装置の薄型化が可能になる。
【図面の簡単な説明】
【００１６】
【図１】本発明の第一実施形態を示す分解斜視図。
【図２】同上実施形態を示す正面図。
【図３】同上実施形態を示す断面図。
【図４】同上実施形態を示す断面図。
【図５】本発明の第二実施形態を示す断面図。
【図６】本発明の第三実施形態を示す断面図。
【発明を実施するための形態】
【００１７】
以下、添付図面に基づいて、本発明の一実施形態を説明する。図１乃至図４は第一実施形態を示すものである。
【００１８】
バックライト装置Ａは、回路基板１０，発光素子群（第一の照明手段）２１，発光素子群（第二の照明手段）２２，導光部材（第一の導光手段）３１，導光部材（第二の導光手段）３２，光学シート４０，ケース体５０を備えている。表示装置Ｂは、バックライト装置Ａ及び液晶表示パネル（表示手段）６０からなるものである。
【００１９】
発光素子群２１は白色の照明光を発する複数の発光ダイオードで構成され、回路基板１０に実装されている。発光素子群２２は赤色の照明光を発する複数の発光ダイオードで構成され、回路基板１０に実装されている。発光素子群２１及び発光素子群２２は、列状に配置されている。
導光部材３１は、アクリル等の透光性樹脂からなり、液晶表示パネル６０の第一の表示領域６１の下に配置される。導光部材３１は、垂れ下がり部３１ａを有し、発光素子群２１が発した照明光を液晶表示パネル６０の第一の表示領域６１に導いて、第一の表示領域６１を透過照明する。
【００２０】
導光部材３２は、アクリル等の透光性樹脂からなり、液晶表示パネル６０の第二の表示領域６２の下に配置される。導光部材３２は、垂れ下がり部３２ａを有し、発光素子群２２が発した照明光を液晶表示パネル６０の第二の表示領域６２に導いて、第二の表示領域６２を透過照明する。
導光部材３１，３２の側端面３１ｂ，３２ｂは滑らかな平面であり、導光部材３１，３２は、側端面３１ｂ，３２ｂが接触した状態でケース体５０に配設される。
【００２１】
光学シート４０は、ポリカーボネート（ＰＣ）からなるシート部材に印刷を施した拡散部材や、表面にアクリルのビーズなどをちりばめた拡散部材からなるものである。光学シート４０は、導光部材３１，３２の上に配設され、導光部材３１，３２から照射される照明光を拡散させて輝度を均一化する。
ケース体５０は、樹脂からなるものであり、導光部材３１，３２及び光学シート４０が収納される。ケース体５０には、スリット部５０ａが形成されており、導光部材３１，３２の垂れ下がり部３１ａ，３２ａがスリット部５０ａに挿通される。
【００２２】
発光素子群２１，２２から発せられて、垂れ下がり部３１ａ，３２ａから導光部材３１，３２に入射した照明光は、導光部材３１，３２の側端面３１ｂ，３２ｂに対し、臨界角θｃ以上の角度になるように導光される。臨界角θｃはスネルの法則により決定され、発光素子群２１，２２を並べる方向と導光部材３１，３２の側端面３１ｂ，３２ｂとのなす角度θａが９０°のとき、式１によって決定される。なお、ｎ１は空気層の屈折率、ｎ２は導光部材３１，３２の屈折率である。導光部材３１，３２がアクリルからなる場合、ｎ２は１．４９であり、臨界角θｃは約４２．２°になる。
［式１］    Ｃ＝ｓｉｎ−１（ｎ１／ｎ２×ｓｉｎ９０°）
【００２３】
図５は第二実施形態を示すものである。第二実施形態は、光学シート４１が異なるだけであり、他の構成は第一実施形態と同一である。
光学シート４１は、例えばプリズムシートのような集光部材からなるものである。光学シート４１は、光学シート４０と液晶表示パネル６０の間に配置され、導光部材３１，３２から照射される照明光の配向を一定に整えて、輝度を向上させる。なお、第二実施形態は光学シート４０及び光学シート４１を備えたものであるが、光学シート４０は無くとも良い。
【００２４】
図６は第三実施形態を示すものである。ケース体７０には、回路基板１０，発光素子群２１，２２，導光部材８１，８２，光学シート４０が配設されている。導光部材８１，８２は、平板形状の透光性樹脂からなり、発光素子群２１，２２が発した照明光を液晶表示パネル６０に導く。
【００２５】
各実施形態によれば、側端面３１ｂ，３２ｂが対向するように導光部材３１，３２を並設するため、表示装置Ｂの薄型化が可能になる。なお、本発明は各実施形態に限定されるものではなく、種々の変形が可能である。例えば、回路基板１０に実装される発光素子群２１，２２は、赤色の照明光を発する発光ダイオードと白色の照明光を発する発光ダイオードというように、異なる色を発する発光ダイオードを実装しているが、同じ色の光を発する発光素子群２１，２２を回路基板１０に実装し、発光素子群２１，２２と導光部材３１，３２，８１，８２の間にカラーフィルタを挿入する形態としてもよい。
【００２６】
また、回路基板１０に実装される夫々異なる色を放つ発光素子を交互に並べ、第一の表示領域６１と第二の表示領域６２の表示色を変える構成もできる。また、ケース体５０も樹脂のみならず、金属製のフレームも利用できる。また、各実施形態は、導光部材３１，３２の側端面３１ｂ，３２ｂは、側端面３１ｂ，３２ｂが接触した状態でケース体５０に配設されているが、導光部材３１と導光部材３２の間に微小な隙間があっても良い。また、各実施形態は、導光部材３１，３２を備えたものであるが、導光部材は３個以上であっても良いことは言うまでもない。
【符号の説明】
【００２７】
１０    回路基板
２１    発光素子群（第一の照明手段）
２２    発光素子群（第二の照明手段）
３１    導光部材（第一の導光手段）
３１ｂ  側端面
３２    導光部材（第二の導光手段）
３２ｂ  側端面
４０    光学シート（拡散部材）
４１    光学シート（集光部材）
５０    ケース体
６０    液晶表示パネル（表示手段）
【図１】
2011228107.tif 000003
【図２】
2011228107.tif 000004
【図３】
2011228107.tif 000005
【図４】
2011228107.tif 000006
【図５】
2011228107.tif 000007
【図６】
2011228107.tif 000008